(57)【要約】【課題】  取り替え作業に伴う眼鏡ユーザーの負担が少なく、ユーザー自らが手軽に且つ安価に取り替え可能である眼鏡フレーム用テンプルを提供する。【解決手段】  芯金部１２１を有する芯金部材１２０と、芯金部１２１を挿通する挿通穴１１１であって、基端部１１０ａに設けられた開口１１１ａから先端部側２ｂに向けて軸方向に沿って延びる挿通穴１１１を有する耳掛部材１１０とを備えた眼鏡フレーム用テンプル２において、凸状係合部及び凹状係合部からなり、一方の凸状係合部１２２が芯金部材１２０における芯金部１２１に設けられ、他方の凹状係合部１１２が、芯金部１２１に設けられた一方の凸状係合部１２２に係合するように耳掛部材１１０における挿通穴１１１に設けられた凹凸係合部１３０を少なくとも一対備えている。【選択図】  図３
2006317473.tif 000002
【特許請求の範囲】
【請求項１】
芯金部を有する芯金部材と、前記芯金部を挿通する挿通穴であって、基端部に設けられた開口から先端部側に向けて軸方向に沿って延びる挿通穴を有する耳掛部材とを備えた眼鏡フレーム用テンプルにおいて、
凸状係合部及び凹状係合部からなり、前記凸状係合部及び前記凹状係合部のうち一方の係合部が前記芯金部材における前記芯金部に設けられ、他方の係合部が、前記芯金部に設けられた一方の係合部に係合するように前記耳掛部材における前記挿通穴に設けられた凹凸係合部を少なくとも一対備えていることを特徴とする眼鏡フレーム用テンプル。
【請求項２】
前記耳掛部材には、前記挿通穴を構成し、前記芯金部材における前記芯金部を挿通する筒状の第１芯金部と、該第１芯金部の先端部に配設され、先端部側に向けて軸方向に沿って延びる第２芯金部とからなる芯金延長部材が設けられていることを特徴とする請求項１に記載の眼鏡フレーム用テンプル。
【請求項３】
前記耳掛部材には、基端部における前記開口から軸方向に沿って延びるように開放されたスリット状の開口が設けられていることを特徴とする請求項１に記載の眼鏡フレーム用テンプル。
【発明の詳細な説明】
【技術分野】
【０００１】
本発明は、眼鏡フレーム用テンプルに関する。
【背景技術】
【０００２】
眼鏡フレームは、前枠、テンプル、丁番等のフレーム部材が連結されて構成されている。この眼鏡フレームを構成する部材の中でも、ユーザーの皮膚に直接接触するテンプルは、使用に伴って劣化し易いため、比較的取り替える必要性の高い部材である。また、近年の眼鏡フレームに対するファッション性、デザイン性等の装飾機能重視の傾向に鑑みれば、予め用意された各種の装飾されたテンプルの中からＴＰＯ（時（Time）、所（Place）、場合（Occasion））に併せて選択された好みのテンプルに取り替えることも考えられる。
【０００３】
眼鏡フレームを構成する従来のテンプルとして、プラスチック製の耳掛部材に金属製の芯金を内挿したテンプル、所謂プラスチックテンプルと呼ばれるもの（以下、プラスチックテンプルという）や、主要部が金属で形成されていて先端部にプラスチック製の先セルが取り付けられたテンプル、所謂メタルテンプルと呼ばれるもの（以下、メタルテンプルという）が知られている。
【発明の開示】
【発明が解決しようとする課題】
【０００４】
ところが、前記したような従来の眼鏡フレームでは、ユーザー自らがテンプルを取り替えることは困難であり、またテンプルを構成する部材の一部、例えば、テンプルを構成する部材のうち特に劣化し易い部材のみをユーザー自らが取り替えることも困難である。いずれにしても店舗に足を運んで取り替えを依頼する必要がある。
【０００５】
また、店舗に足を運んで取り替えを依頼する場合であっても、テンプルを構成する部材の一部について、例えば、プラスチックテンプルを構成する耳掛部材のみを取り替えることはできず、テンプル全体を取り替える必要があるため、その都度コストが掛かってしまう。
【０００６】
本発明は、斯かる従来技術の問題点を解決するべくなされたものであり、取り替え作業に伴う眼鏡ユーザーの負担が少なく、ユーザー自らが手軽に且つ安価に取り替え可能である眼鏡フレーム用テンプルを提供することを課題とする。
【課題を解決するための手段】
【０００７】
前記課題を解決するべく、本発明は、芯金部を有する芯金部材と、前記芯金部を挿通する挿通穴であって、基端部に設けられた開口から先端部側に向けて軸方向に沿って延びる挿通穴を有する耳掛部材とを備えた眼鏡フレーム用テンプルにおいて、凸状係合部及び凹状係合部からなり、前記凸状係合部及び前記凹状係合部のうち一方の係合部が前記芯金部材における前記芯金部に設けられ、他方の係合部が、前記芯金部に設けられた一方の係合部に係合するように前記耳掛部材における前記挿通穴に設けられた凹凸係合部を少なくとも一対備えていることを特徴とする眼鏡フレーム用テンプルを提供するものである。
【０００８】
本発明の眼鏡フレーム用テンプルは、所謂プラスチックテンプルタイプの如く構成されていてもよいし、所謂メタルテンプルタイプの如く構成されていてもよい。後者のように所謂メタルテンプルタイプの如く構成される場合、前記耳掛部材は先セルを構成し得る。なお、本発明の眼鏡フレーム用テンプルにおいて「基端部」とは眼鏡フレームを構成した場合のレンズを保持する前枠側の端部をいい、「先端部」とは前記前枠側とは反対側の端部をいう。
【０００９】
本発明に係る眼鏡フレーム用テンプルでは、前記耳掛部材が前記芯金部材に取り付けられる際に、前記芯金部材における前記芯金部が前記耳掛部材における前記挿通穴に前記開口から先端部側に向けて挿入される。このとき、前記芯金部の先端部が、前記耳掛部材の基端部側から先端部側に向けて前記耳掛部材の前記挿通穴に沿って相対移動し、前記芯金部における一方の係止部が、前記耳掛部材における他方の係合部に移行し、ここで該他方の係合部に係入されて係止される。これにより、前記耳掛部材が前記芯金部材に保持され、こうして前記耳掛部材が前記芯金部材に簡単に取り付けられ得る。また、前記耳掛部材が前記芯金部材から取り外される際には、前記耳掛部材の前記挿通穴に挿通されている前記芯金部材の前記芯金部が前記開口を介して基端部側に向けて引き抜かれる。このとき、前記芯金部における一方の係止部と前記耳掛部材における他方の係合部との係合が解除され、前記芯金部の先端部が、前記耳掛部材の先端部側から基端部側に向けて前記耳掛部材の前記挿通穴に沿って相対移動し、前記耳掛部材の基端部から離間する。こうして前記耳掛部材が前記芯金部材から簡単に取り外され得る。
【００１０】
このように本発明に係る眼鏡フレーム用テンプルによると、該テンプルを構成する前記耳掛部材が、同じく該テンプルを構成する前記芯金部材に対して簡単に取り付け、取り外しできるので、ユーザー自らが前記耳掛部材を取り替えることが可能となり、従って、テンプル全体を取り替える必要がないため、それだけコストを低く抑えることができる。これにより、取り替え作業に伴う眼鏡ユーザーの負担が少なく、ユーザー自らが手軽に且つ安価に取り替えを行うことができる。
【００１１】
本発明に係る眼鏡フレーム用テンプルにおいて、前記凹凸係合部は、軸方向に沿って複数対並設されていることが好ましい。斯かる構成によれば、前記芯金部材における前記芯金部が前記耳掛部材における前記挿通穴に挿入される際にユーザの鼻部と耳部との間の距離に合う位置に前記芯金部における一方の係止部を前記耳掛部材における他方の係合部に係止することができ、これにより、ユーザの鼻部と耳部との間の距離に合わせて良好に調整することができる。
【００１２】
本発明に係る眼鏡フレーム用テンプルにおいて、前記凹凸係合部を構成する前記凸状係合部及び前記凹状係合部のうち一方の係合部が前記芯金部材における前記芯金部に、他方の係合部が前記耳掛部材における前記挿通穴に設けられる具体的態様としては、該眼鏡フレーム用テンプルが眼鏡フレームを構成した場合の該眼鏡フレームの使用姿勢において、前記一方の係合部は前記芯金部の外側、内側、上側及び下側のうち少なくとも一つの側面に設けられ、前記他方の係合部は、前記芯金部に設けられた一方の係合部に係合するように前記耳掛部材における前記挿通穴の外側、内側、上側及び下側のうち少なくとも一つの側面に設けられる場合を例示できる。
【００１３】
前記芯金部に設けられた一方の係合部に係合するように前記耳掛部材における前記挿通穴に設けられる他方の係合部は、該耳掛部材の基端部における開口近傍に設けられることが好ましい。こうすることで、前記耳掛部材における前記挿通穴に前記他方の係合部を比較的簡単、容易に形成することができる。例えば、前記耳掛部材の基端部を、前記他方の係合部を形成すべき前記挿通穴の係合部形成面が露出するようにカット（例えば、斜めにカット）し、該露出した係合部形成露出面に他方の係合部を形成するようにすれば、該係合部形成露出面に前記他方の係合部を比較的簡単、容易に形成することができる。
【００１４】
なお、このように前記係合部形成露出面に他方の係合部を形成してもよいが、例えば、前記係合部形成面において径方向に沿って貫通する貫通孔を設け、該貫通孔を塞ぐ閉塞部材を、該他方の係合部が凹状係合部である場合には該係合部形成面に対してくぼむようにように、また凸状係合部である場合には該係合部形成面に対して突出するように設けることで、該他方の係合部を形成してもよい。こうすることで、前記耳掛部材における前記挿通穴の任意の位置に前記他方の係合部を形成することができる。
【００１５】
前記凸状係合部としては、それには限定されないが、幅１．０ｍｍ〜２．０ｍｍ程度で高さ０．５ｍｍ〜０．６ｍｍ程度のものを例示できる。前記凸状係合部の形状としては、前記凹状係合部と係合できるものであれば何れの形状であってもよく、例えば、断面視円弧形状、断面視半円形状、断面視矩形状、断面視三角形状等を挙げることができる。また、前記凹状係合部の形状としては、前記凸状係合部の形状に対応するように形成されていてもよいが、それに限定されるものではなく、前記凸状係合部の形状に拘わらず、例えば、断面視円弧形状、断面視半円形状、断面視Ｖ字形状等の形状とすることができる。なお、前記凹状係合部は、前記耳掛部材の前記芯金部材に対する着脱のし易さという観点からは、比較的なだらかに形成されていることが好ましい。
【００１６】
ところで、本発明に係る眼鏡フレーム用テンプルにおいて、前記耳掛部材が、例えば、樹脂のような材料で構成されている場合には、該耳掛部材の他方の係合部が、前記芯金部材の一方の係合部との係合によって磨耗し易い。また、前記耳掛部材を補強するという観点、或いはユーザの耳部や頭部に違和感なくフィットさせ得るように前記耳掛部材を曲げ調整し易くするという観点からは、前記芯金部が前記耳掛部材の先端部近傍にまで延びていることが望ましいが、例えば、前記耳掛部材が、先端部側でユーザーの耳部や頭部の形状に沿うように湾曲した湾曲部を有しているような場合には、この湾曲部の湾曲度合いによっては、前記芯金部材における前記芯金部が該湾曲部によって前記耳掛部材の先端部近傍まで挿入され難いことがあり、従って、該芯金部が前記耳掛部材の先端部近傍まで延びていないことがある。そこで、前記耳掛部材には、前記挿通穴を構成し、前記芯金部材における前記芯金部を挿通する筒状の第１芯金部と、該第１芯金部の先端部に配設され、先端部側に向けて軸方向に沿って延びる第２芯金部とからなる芯金延長部材が設けられている場合を例示できる。こうすることで、前記耳掛部材に設けられる前記第１芯金部は、基本的に金属材料で構成されるので、他方の係合部において、前記芯金部材における前記芯金部の一方の係合部との係合による耐磨耗性を向上させることができる上、例えば、前記耳掛部材において、前記芯金部材における前記芯金部を挿通する前記第１芯金部の先端部に配設された前記第２芯金部を該耳掛部材の先端部近傍にまで延びるように構成することにより、前記芯金部材における前記芯金部が前記耳掛部材の先端部近傍まで延びていなくても、該耳掛部材に設けられた前記第２芯金部によって、該耳掛部材を補強することができ且つユーザの耳部や頭部に違和感なくフィットさせ得るように該耳掛部材を曲げ調整し易くすることができる。
【００１７】
また、本発明に係る眼鏡フレーム用テンプルにおいて、前記耳掛部材には、基端部における前記開口から軸方向に沿って延びるように開放されたスリット状の開口が設けられていることが好ましい。こうすることで、前記芯金部材における前記芯金部が前記耳掛部材における前記挿通穴に挿入される際に該挿通穴を前記スリット状開口において径方向外方に拡開するように撓ませ易くすることができ、これにより前記芯金部を前記挿通穴に挿入し易くすることができる。ところで、前記芯金部材における前記芯金部が前記耳掛部材における前記挿通穴に挿入される際に、該挿通穴に対する該芯金部の周方向の挿入位置が不明確である場合、或いは該周方向の挿入位置が明確であっても、特に、該挿通穴の形状が軸方向視（軸方向から視て）円形状の場合であって、該挿通穴が比較的深く且つ該挿通穴における他方の係合部が該耳掛部材の基端部における前記開口から比較的遠い位置にある場合には、該芯金部における一方の係合部が該挿通穴における他方の係合部に向けて誘導されないことで、該一方の係合部が該他方の係合部にスムーズに係合され難い。そこで、前記芯金部には、該芯金部における一方の係合部を前記耳掛部材における他方の係合部に向けて案内可能に、前記スリット状開口に摺動自在に（例えば、前記芯金部における一方の係合部と前記耳掛部材における他方の係合部とが係合する係合位置に対応する位置を含む軌道上で摺動自在に）係入される凹凸係合部案内用凸状係合部が設けられている場合を例示できる。こうすることで、前記芯金部における一方の係合部を前記挿通穴における他方の係合部に向けてうまく誘導することができ、これにより該一方の係合部を該他方の係合部にスムーズに係合させることができる。なお、前記芯金部における一方の係合部が凸状係合部であり、前記挿通穴における他方の係合部が凹状係合部である場合であって、該挿通穴における他方の凹状係合部が、前記スリット状開口の幅方向中央部を通り、該スリット状開口から軸方向に沿って先端部側に向かう延長線上に位置している場合には、該芯金部における一方の凸状係合部が前記凹凸係合部案内用凸状係合部を兼ねることができる。この場合、前記凹凸係合部案内用凸状係合部を兼ねる一方の凸状係合部は、特に、前記挿通穴の形状が軸方向視円形状である場合には、前記スリット状開口に対してできるだけ近い位置に設けることが好ましい。また、前記スリット状開口は、前記凹凸係合部案内用凸状係合部を導入し易くするという観点から、基端部側端部で広く且つ先端部側に向けて次第に狭くなるように形成された導入部を有していることが好ましい。
【発明の効果】
【００１８】
以上説明したように本発明によると、取り替え作業に伴う眼鏡ユーザーの負担が少なく、ユーザー自らが手軽に且つ安価に取り替え可能である眼鏡フレーム用テンプルを提供することができる。
【発明を実施するための最良の形態】
【００１９】
以下、添付図面を参照しつつ、本発明の実施の形態について説明する。図１は本発明の実施形態に係る眼鏡フレーム用テンプルであって、図１（Ａ）は所謂プラスチックテンプルタイプの如く構成した第１実施形態に係るテンプル２を備えた眼鏡フレーム１０の概略構成を示す斜視図であり、図１（Ｂ）及び図１（Ｃ）はそれぞれ所謂メタルテンプルタイプの如く構成した第２及び第３実施形態に係るテンプル２’，２”を備えた眼鏡フレーム１０’、１０”の概略構成を示す斜視図である。なお、テンプル２，２’，２”において、以下に記述する「基端部」とは眼鏡フレーム１０，１０’，１０”を構成した場合の前枠１側の端部をいい、「先端部」とは前記前枠１側とは反対側の端部をいう。
【００２０】
図１（Ａ）乃至図１（Ｃ）に示すように、眼鏡フレーム１０，１０’，１０”は、レンズを保持する前枠１と、該前枠１の両端からそれぞれ先端部側２ｂに延出する左右一対のテンプル２，２’，２”と、前枠１の両端部でテンプル２，２’，２”を開閉させるための蝶番３とを具備するものである。
【００２１】
（第１実施形態）
図１（Ａ）及び図２から図６を参照しつつ第１実施形態に係る眼鏡フレーム用テンプル２について説明する。
【００２２】
図２は図１（Ａ）に示す第１実施形態のテンプル２において芯金部材の一例１２０から耳掛部材の一例１１０を取り外した状態の該耳掛部材１１０及び該芯金部材１２０を示す概略構成図であり、図２（Ａ）に該耳掛部材１１０及び該芯金部材１２０の平面図を、図２（Ｂ）に該耳掛部材１１０及び該芯金部材１２０を外側から視た側面図を示す。また、図３は、図２（Ａ）に示す芯金部材１２０と耳掛部材１１０との取り付け部分の一部断面を含む拡大図を、図４は耳掛部材１１０が芯金部材１２０に取り付けられた状態の拡大図を示している。なお、図２から図４ではいずれも右テンプルを示している。この右テンプルは左テンプルとは左右対称になっているだけで、該左テンプルと実質的に同様の構成をしており、ここでは、左テンプルについては図示を省略し、右テンプルに代表させて示している。後述する図５から図１３についても同様である。
【００２３】
テンプル２は、本例では、所謂プラスチックテンプルタイプの如く構成されており、耳掛部材１１０と芯金部材１２０とを備えている。このテンプル２において、耳掛部材１１０は芯金部材１２０に対して着脱可能となっている。
【００２４】
芯金部材１２０は、本例では、金属材料からなっており、断面視矩形状に形成された芯金部１２１を有している。
【００２５】
耳掛部材１１０は、本例では、樹脂材料（例えば、アセテート）からなっており、先端部側２ｂから蝶番３付近まで延びていて、芯金部１２１を挿通する挿通穴１１１を有している。挿通穴１１１は、基端部１１０ａに設けられた開口１１１ａから先端部側２ｂに向けて軸方向に沿って延びていて、本例では、芯金部１２１の形状に対応して、断面視矩形状に且つ後述する係合部１３０が挿通穴１１１及び芯金部１２１に設けられた状態で芯金部１２１全体が挿入できるように、全体の内径が該芯金部１２１の径より若干大きくなるように形成されている。なお、耳掛部材１１０を構成する樹脂材料は、前記のアセテートに限定されず、各種のものを用いることができる。また樹脂材料の他、金属材料や木などを用いてもよい。
【００２６】
この眼鏡フレーム用テンプル２は、前記した係合部１３０を少なくとも一対（本例では一対）備えている。この係合部１３０は、凸状係合部及び凹状係合部からなり、一方の係合部（本例では凸状係合部１２２）が芯金部材１２０における芯金部１２１に設けられ、他方の係合部（本例では凹状係合部１１２）が、芯金部１２１に設けられた一方の凸状係合部１２２に係合するように耳掛部材１１０における挿通穴１１１に設けられている。なお、本例では、一方の係合部１２２を凸状とし、他方の係合部１１２を凹状としているが、一方の係合部１２２を凹状とし、他方の係合部１１２を凸状としてもよい。
【００２７】
さらに説明すると、該眼鏡フレーム用テンプル２が眼鏡フレーム１０を構成した場合の該眼鏡フレーム１０の使用姿勢において（図１（Ａ）参照）、一方の凸状係合部１２２は芯金部１２１の外側、内側、上側及び下側のうち少なくとも一つ（本例では内側）の側面Ｐ２における基端部近傍に設けられ、他方の凹状係合部１１２は、芯金部１２１に設けられた一方の凸状係合部１２２に係合するように耳掛部材１１０における挿通穴１１１の外側、内側、上側及び下側のうち少なくとも一つ（本例では内側）の側面Ｐ１に設けられている。
【００２８】
また、芯金部１２１に設けられた一方の凸状係合部１２２に係合するように耳掛部材１１０における挿通穴１１１に設けられる他方の凹状係合部１１２は、該耳掛部材１１０の基端部１１０ａにおける開口１１１ａ近傍に設けられている。さらに言えば、耳掛部材１１０の基端部１１０ａを、他方の凹状係合部１１２を形成すべき挿通穴１１１の係合部形成面Ｐ１が露出するようにカット（具体的には、斜めにカット）し、該露出した係合部形成露出面Ｐ１’に他方の凹状係合部１１２を形成してある。
【００２９】
なお、このように係合部形成露出面Ｐ１’に他方の凹状係合部１１２を形成してもよいが、例えば、図５に示すように、係合部形成面Ｐ１において径方向に沿って貫通する貫通孔１１４を設け、該貫通孔１１４を塞ぐ閉塞部材１１５を、該他方の係合部１１２が凹状である場合には該係合部形成面Ｐ１に対してくぼむようにように（図５（Ａ）参照）、また凸状である場合には該係合部形成面Ｐ１に対して突出するように（図５（Ｂ）参照）設けることで、該他方の係合部１１２を形成してもよい。
【００３０】
また、本第１実施形態において、眼鏡フレーム用テンプル２は、凸状係合部１２２及び凹状係合部１１２からなる係合部１３０を一対備えているが、図６に示すように、軸方向に沿って複数対並設されていてもよい。なお、図示を省略したが、この構成は後述する第２及び第３実施形態についても同様に適用することができる。
【００３１】
（第２実施形態）
次に、図１（Ｂ）及び図７乃至図９を参照しつつ第２実施形態に係る眼鏡フレーム用テンプル２’について説明する。なお、図７乃至ら図９において、図２から図４に示すテンプル２と実質的に同様の構成作用を有する箇所については同じ参照符号を付してある。後述する図１０から図１２についても同様である。また、図７（Ａ）において、耳掛部材１１０’は鎖線で示し、該耳掛部材１１０’に内設された後述する芯金延長部材１１３’は実線で示している。
【００３２】
図７は図１（Ｂ）に示す第２実施形態のテンプル２’において芯金部材の他の例１２０’から耳掛部材の他の例１１０’を取り外した状態の該耳掛部材１１０’及び該芯金部材１２０’を示す概略構成図であり、図７（Ａ）に該耳掛部材１１０’及び該芯金部材１２０’の取り付け部分の斜視図を、図７（Ｂ）に該耳掛部材１１０’及び該芯金部材１２０’の平面図を、図７（Ｃ）に該耳掛部材１１０’及び該芯金部材１２０’を外側から視た側面図を示す。また、図８は図７（Ｂ）に示す芯金部材１２０’と耳掛部材１１０’との取り付け部分の一部断面を含む拡大図を、図９は該耳掛部材１１０’が該芯金部材１２０’に取り付けられた状態の拡大図を示している。
【００３３】
テンプル２’は、本例では、所謂メタルテンプルタイプの如く構成されており、先セルを構成する耳掛部材１１０’（以下先セル１１０’ということがある）と芯金部材１２０’とを備えている。このテンプル２’において、先セル１１０’は芯金部材１２０’に対して着脱可能となっている。
【００３４】
芯金部材１２０’は、本例では、金属材料からなっており、断面視矩形状に形成された芯金部１２１’を有している。
【００３５】
先セル１１０’は、本例では、樹脂材料（例えば、アセテート）からなっており、芯金部１２１’を挿通する挿通穴１１１を有していて、先端部側２ｂでユーザーの耳部や頭部の形状に沿うように湾曲した湾曲部Ｒを有している。さらに説明すると、先セル１１０’には、芯金延長部材１１３’が設けられており、この芯金延長部材１１３’は、第１芯金部１１１’と第２芯金部１１２’とからなっていて、いずれも金属材料からなっている。第１芯金部１１１’は、挿通穴１１１を構成するものであり、基端部に設けられた開口１１１ａから先端部側２ｂに向けて軸方向に沿って筒状に延びる有底の中空部材とされていて、本例では、芯金部１２１’の形状に対応して、断面視矩形状に且つ後述する係合部１３０が挿通穴１１１及び芯金部１２１’に設けられた状態で芯金部１２１’全体が挿入できるように、全体の内径が該芯金部１２１’の径より若干大きくなるように形成されている。第２芯金部１１２’は、一端部が第１芯金部１１１’の先端部１１１ａ’に配設されており、他端部が先端部側２ｂに向けて軸方向に沿って（本例では、耳掛部材１２０’の先端部近傍にまで）延びている。なお、先セル１１０’を構成する樹脂材料は、前記のアセテートに限定されず、各種のものを用いることができる。また樹脂材料の他、木などを用いてもよい。
【００３６】
この眼鏡フレーム用テンプル２’は、係合部１３０を少なくとも一対（本例では一対）備えている。この係合部１３０は、凸状係合部及び凹状係合部からなり、一方の係合部（本例では凸状係合部１２２）が芯金部材１２０’における芯金部１２１’に設けられ、他方の係合部（本例では凹状係合部１１２）が、芯金部１２１’に設けられた一方の凸状係合部１２２に係合するように先セル１１０’における挿通穴１１１に設けられている。なお、本例では、一方の係合部１２２を凸状とし、他方の係合部１１２を凹状としているが、一方の係合部１２２を凹状とし、他方の係合部１１２を凸状としてもよい。
【００３７】
さらに説明すると、該眼鏡フレーム用テンプル２’が眼鏡フレーム１０’を構成した場合の該眼鏡フレーム１０’の使用姿勢において（図１（Ｂ）参照）、一方の凸状係合部１２２は芯金部１２１’の外側、内側、上側及び下側のうち少なくとも一つ（本例では外側）の側面Ｑ２における先端部近傍に設けられ、他方の凹状係合部１１２は、芯金部１２１’に設けられた一方の凸状係合部１２２に係合するように先セル１１０’における挿通穴１１１の外側、内側、上側及び下側のうち少なくとも一つ（本例では外側）の側面Ｑ１に設けられている。
【００３８】
（第３実施形態）
次に、図１（Ｃ）及び図１０乃至図１２を参照しつつ第３実施形態に係る眼鏡フレーム用テンプル２”について説明する。
【００３９】
図１０は図１（Ｃ）に示す第３実施形態のテンプル２”において図１（Ｂ）に示す芯金部材１２０’から耳掛部材のさらに他の例１１０”を取り外した状態の該耳掛部材１１０”及び該芯金部材１２０’を示す概略構成図であり、図１０（Ａ）に該耳掛部材１１０”及び該芯金部材１２０’の取り付け部分の斜視図を、図１０（Ｂ）に該耳掛部材１１０”及び該芯金部材１２０’の平面図を、図１０（Ｃ）に該耳掛部材１１０”及び該芯金部材１２０’を外側から視た側面図を示す。また、図１１は図１０（Ｂ）に示す芯金部材１２０’と耳掛部材１１０”との取り付け部分の一部断面を含む拡大図を、図１２は該耳掛部材１１０”が該芯金部材１２０’に取り付けられた状態の拡大図を示している。
【００４０】
テンプル２”は、本例では、所謂メタルテンプルタイプの如く構成されており、先セルを構成する耳掛部材１１０”（以下先セル１１０”ということがある）と芯金部材１２０’とを備えている。このテンプル２”において、先セル１１０”は芯金部材１２０’に対して着脱可能となっている。
【００４１】
先セル１１０”は、本例では、樹脂材料（例えば、アセテート）からなっており、芯金部１２１’を挿通する挿通穴１１１を有している。さらに説明すると、先セル１１０”には、基端部における開口１１１ａから軸方向に沿って延びるように開放されたスリット状の開口１１１ｂが設けられている。なお、先セル１１０”を構成する樹脂材料は、前記のアセテートに限定されず、各種のものを用いることができる。また樹脂材料の他、金属材料や木などを用いてもよい。
【００４２】
この眼鏡フレーム用テンプル２”は、係合部１３０を少なくとも一対（本例では一対）備えている。この係合部１３０は、凸状係合部及び凹状係合部からなり、一方の係合部（本例では凸状係合部１２２）が芯金部材１２０’における芯金部１２１’に設けられ、他方の係合部（本例では凹状係合部１１２）が、芯金部１２１’に設けられた一方の凸状係合部１２２に係合するように先セル１１０”における挿通穴１１１に設けられている。なお、本例では、一方の係合部１２２を凸状とし、他方の係合部１１２を凹状としているが、一方の係合部１２２を凹状とし、他方の係合部１１２を凸状としてもよい。
【００４３】
さらに説明すると、該眼鏡フレーム用テンプル２”が眼鏡フレーム１０”を構成した場合の該眼鏡フレーム１０”の使用姿勢において（図１（Ｃ）参照）、一方の凸状係合部１２２は芯金部１２１’の外側、内側、上側及び下側のうち少なくとも一つ（本例では外側）の側面Ｑ２における先端部近傍に設けられ、他方の凹状係合部１１２は、芯金部１２１’に設けられた一方の凸状係合部１２２に係合するように先セル１１０”における挿通穴１１１の外側、内側、上側及び下側のうち少なくとも一つ（本例では外側）の側面Ｑ１に設けられている。本例では、該挿通穴１１１における他方の凹状係合部１１２は、スリット状開口１１１ｂの幅方向中央部を通り、該スリット状開口１１１ｂから軸方向に沿って先端部側２ｂに向かう延長線上に位置しており、該芯金部１２１’における一方の凸状係合部１２２は、該一方の凸状係合部１２２を先セル１１０”における他方の凹状係合部１１２に向けて案内可能に、スリット状開口１１１ｂに摺動自在に係入される凹凸係合部案内用凸状係合部を兼ねている。なお、凸状係合部１２２は、ここでは凹凸係合部案内用凸状係合部を兼ねているが、芯金部１２１’において、図１０（Ａ）で拡大して示すように、凸状係合部１２２とは別に、該芯金部１２１’における一方の凸状係合部１２２を先セル１１０”における他方の凹状係合部１１２に向けて案内可能に、スリット状開口１１１ｂに摺動自在に（さらに言えば、芯金部１２１’における一方の凸状係合部１２２と先セル１１０”における他方の凹状係合部１１２とが係合する係合位置に対応する位置を含む軌道上で摺動自在に）係入される凹凸係合部案内用凸状係合部１２２’が設けられていてもよい。また、挿通穴１１１における他方の凹状係合部１１２は、本例のように、スリット状開口１１１ｂから軸方向に沿って先端部側２ｂに向かう延長線上に位置していてもよいが、それ以外の部位、例えば、一方の凸状係合部１２２が芯金部１２１’の内側、上側又は下側の側面に設けられ、他方の凹状係合部１１２が、芯金部１２１’に設けられた一方の凸状係合部１２２に係合するように先セル１１０”における挿通穴１１１の内側、上側又は下側の側面に設けられていてもよい。別の言い方をすれば、凹凸係合部案内用凸状係合部１２２’が芯金部１２１’の内側、上側又は下側の側面に設けられ、スリット状開口１１１ｂが先セル１１０”の内側、上側又は下側に設けられていてもよい。また、スリット状開口１１１ｂは、前記凹凸係合部案内用凸状係合部を導入し易くするという観点から、図１０（Ｃ）で拡大して示すように、基端部側２ａ端部で広く且つ先端部側２ｂに向けて次第に狭くなるように形成された導入部１１１ｂ’を有していてもよい。
【００４４】
なお、前記第１から第３実施形態において、一方の凸状係合部１２２は、幅１．５ｍｍ程度で高さ０．５ｍｍ〜０．６ｍｍ程度の断面視半円形状（立体視半球状）のものとしている。他方の凹状係合部１１２は、耳掛部材１１０，１１０’，１１０”の芯金部材１２１，１２１’に対する着脱のし易さという観点から比較的なだらかに形成された断面視円弧形状（立体視クレーター状）のものとしている。
【００４５】
以上説明した眼鏡フレーム用テンプル２，２’，２”では、耳掛部材１１０，１１０’，１１０”が芯金部材１２０，１２０’に取り付けられる際に、芯金部材１２０，１２０’における芯金部１２１，１２１’が耳掛部材１１０，１１０’，１１０”における挿通穴１１１に開口１１１ａから先端部側２ｂに向けて挿入される。このとき、芯金部１２１，１２１’の先端部が、耳掛部材１１０，１１０’，１１０”の基端部側２ａから先端部側２ｂに向けて耳掛部材１１０，１１０’，１１０”の挿通穴１１１に沿って（さらに耳掛部材１１０”では凹凸係合部案内用凸状係合部を兼ねている凸状係合部１２２がスリット状開口１１１ｂに沿って案内されつつ）相対移動し、芯金部１２１，１２１’における一方の凸状係止部１２２が、耳掛部材１１０，１１０’，１１０”における他方の凹状係合部１１２に移行し、ここで該他方の凹状係合部１１２に係入されて係止される。これにより、耳掛部材１１０，１１０’，１１０”が芯金部材１２０，１２０’に保持され、こうして耳掛部材１１０，１１０’，１１０”が芯金部材１２０，１２０’に簡単に取り付けられ得る。また、耳掛部材１１０，１１０’，１１０”が芯金部材１２０，１２０’から取り外される際には、耳掛部材１１０，１１０’，１１０”の挿通穴１１１に挿通されている芯金部材１２０，１２０’の芯金部１２１，１２１’が開口１１１ａを介して基端部側２ａに向けて引き抜かれる。このとき、芯金部１２１，１２１’における一方の凸状係止部１２２と耳掛部材１１０，１１０’，１１０”における他方の凹状係合部１１２との係合が解除され、芯金部１２１，１２１’の先端部が、耳掛部材１１０，１１０’，１１０”の先端部側２ｂから基端部側２ａに向けて耳掛部材１１０，１１０’，１１０”の挿通穴１１１に沿って相対移動し、耳掛部材１１０，１１０’，１１０”の基端部１１０ａから離間する。こうして耳掛部材１１０，１１０’，１１０”が芯金部材１２０，１２０’から簡単に取り外され得る。
【００４６】
このように眼鏡フレーム用テンプル２，２’，２”によると、該テンプル２，２’，２”を構成する耳掛部材１１０，１１０’，１１０”が、同じく該テンプル２，２’，２”を構成する芯金部材１２０，１２０’に対して簡単に取り付け、取り外しできるので、ユーザー自らが耳掛部材１１０，１１０’，１１０”を取り替えることが可能となり、従って、テンプル全体を取り替える必要がないため、それだけコストを低く抑えることができる。これにより、取り替え作業に伴う眼鏡ユーザーの負担が少なく、ユーザー自らが手軽に且つ安価に取り替えを行うことができる。
【００４７】
また、凹凸係合部１３０が、図６に示すように、軸方向に沿って複数対並設されている場合には、芯金部材１２０，１２０’における芯金部１２１，１２１’が耳掛部材１１０，１１０’，１１０”における挿通穴１１１に挿入される際にユーザの鼻部と耳部との間の距離に合う位置に芯金部１２１，１２１’における一方の凸状係止部１２２を耳掛部材１１０，１１０’，１１０”における他方の凹状係合部１１２に係止することができ、これにより、ユーザの鼻部と耳部との間の距離に合わせて良好に調整することができる。
【００４８】
また、第１実施形態のテンプル２では、耳掛部材１１０の基端部１１０ａは、他方の凹状係合部１１２を形成すべき挿通穴１１１の係合部形成面Ｐ１が露出するように斜めにカットされ、該露出した係合部形成露出面Ｐ１’に他方の凹状係合部１１２が形成されているので、該係合部形成露出面Ｐ１’に他方の凹状係合部１１２を比較的簡単、容易に形成することができる。
【００４９】
さらに、図５に示すように、係合部形成面Ｐ１に径方向に沿って貫通する貫通孔１１４を設け、該貫通孔１１４を塞ぐ閉塞部材１１５を、該他方の係合部１１２が凹状である場合には挿通穴１１１の係合部形成面に対してくぼむようにように、また凸状である場合には挿通穴１１１の係合部形成面に対して突出するように設けることで、該他方の係合部１１２を形成する場合には、耳掛部材１１０における挿通穴１１１の任意の位置に他方の係合部１１２を形成することができる。
【００５０】
また、第２実施形態のテンプル２’では、挿通穴１１１を構成し、芯金部材１２０’における芯金部１２１’を挿通する筒状の第１芯金部１１１’と、該第１芯金部１１１’の先端部に配設され、先端部側に向けて軸方向に沿って延びる第２芯金部１１２’とからなる芯金延長部材１１３’が先セル１１０’に設けられていて、該先セル１１０’に設けられている第１芯金部１１１’が金属材料で構成されているので、他方の凹状係合部１１２において、芯金部材１２０’における芯金部１２１’の一方の凸状係合部１２２との係合による耐磨耗性を向上させることができる上、先セル１１０’において、芯金部材１２０’における芯金部１２１’を挿通する第１芯金部１１１’の先端部に配設された第２芯金部１１２’が該先セル１１０’の先端部近傍にまで延びているので、先セル１１０’が先端部側２ｂでユーザーの耳部や頭部の形状に沿うように湾曲した湾曲部Ｒを有していて、芯金部材１２０’における芯金部１２１’が先セル１１０’の先端部近傍まで延びていなくても、該先セル１１０’に設けられた第２芯金部１１２’によって、該先セル１１０’を補強することができ且つユーザの耳部や頭部に違和感なくフィットさせ得るように該先セル１１０’を下方や内方に向けて曲げ調整し易くすることができる。
【００５１】
また、第３実施形態のテンプル３’では、先セル１１０”において、基端部における開口１１１ａから軸方向に沿って延びるように開放されたスリット状の開口１１１ｂが設けられているので、芯金部材１２０’における芯金部１２１’が先セル１１０”における挿通穴１１１に挿入される際に該挿通穴１１１をスリット状開口１１１ｂにおいて径方向外方に拡開するように撓ませ易くすることができ、これにより芯金部１２１’を挿通穴１１１に挿入し易くすることができる。さらに芯金部１２１’において、該芯金部１２１’における一方の凸状係合部１２２を先セル１１０”における他方の凹状係合部１１２に向けて案内可能に、スリット状開口１１１ｂに摺動自在に係入される凹凸係合部案内用凸状係合部を兼ねる凸状係合部１２２が設けられているので、芯金部１２１’における一方の凸状係合部１２２を挿通穴１１１における他方の凹状係合部１１２に向けてうまく誘導することができ、これにより該一方の凸状係合部１２２を該他方の凹状係合部１１２にスムーズに係合させることができる。
【００５２】
なお、第１実施形態のテンプル２は、所謂プラスチックテンプルタイプの如く構成されており、耳掛部材１１０が芯金部材１２０に対して着脱可能となっているが、図１（Ｂ）及び図１（Ｃ）に示すような所謂メタルテンプルタイプの如く構成されていて、例えば、図１３に示すように、先セルを構成する耳掛部材１１０と芯金部材１２０とを備え、該先セル１１０が該芯金部材１２０に対して着脱可能となっていてもよい。なお、図１３において、図２から図４に示すテンプル２と実質的に同様の構成作用を有する箇所については同じ参照符号を付してある。
【００５３】
また、図１（Ｂ）に示す第２及び第３実施形態のテンプル２’，２”は、本例では、所謂メタルテンプルタイプの如く構成されていて、先セルを構成する耳掛部材１１０’，１１０”と芯金部材１２０’，１２０”とを備え、該先セル１１０’，１１０”が該芯金部材１２０’，１２０”に対して着脱可能となっているが、図１（Ａ）に示すような所謂プラスチックテンプルタイプの如く構成されており、耳掛部材が芯金部材に対して着脱可能となっていてもよい。
【００５４】
第１実施形態のテンプル２では、ユーザが手軽に耳掛部材を取り替えることができるのであるが、図１４（Ａ）に示すように、耳掛部材の厚みを大きくしてユーザの開閉動作等による外力に対して耐久性を向上させた耳掛部材１１０ｘに取り替えたり、図１４（Ｂ）に示すように、予め用意された各種の装飾されたテンプルの中からＴＰＯに併せて選択された好みの耳掛部材１１０ｙに取り替えることも簡単にできる。
【００５５】
また、第１から第３実施形態のテンプル２，２’，２”における耳掛部材１１０，１１０’，１１０”には図１５に示すような耳当て部材４３が設けられていてもよい。図１５は第１から第３実施形態のテンプル２，２’，２”における耳掛部材１１０，１１０’，１１０”の先端部側２ｂ部分に耳当て部材４３を設けるように構成した一例の該先端部側２ｂ部分を拡大した概略側面図である。なお、図１５に示すテンプル２，２’，２”は、図１から図６に示すテンプル２，２’，２”において、耳掛部材１１０，１１０’，１１０”に耳当て部材４３を設けるように構成にした以外は第１から第３実施形態のテンプル２，２’，２”と同様のものである。
【００５６】
図１５に示すように、耳掛部材１１０，１１０’，１１０”の先端部側２ｂには、耳の裏側に当接可能な耳当て部材４３が着脱可能に設けられている。さらに説明すると、耳掛部材１１０，１１０’，１１０”には、耳当接側部分の幅方向両端部において耳当接側に延びる左右一対の支持部４４が設けられており、該左右一対の支持部４４には、耳当て部材４３をビス８により固定するためのビス穴４４ａがそれぞれ形成されている。
【００５７】
耳当て部材４３には、軸方向Ｚの略中央部において耳当接側とは反対側から延設される延設部４３ａが設けられている。この延設部４３ａには、前記ビス８が貫通する貫通孔が形成されている。これにより、ビス８を延設部４３ａの前記貫通孔を通して支持部４４のビス穴４４ａに取り付けることで、耳当て部材４３を耳掛部材１１０，１１０’，１１０”に着脱可能に固着することができる。
【００５８】
また、テンプル２，２’，２”では、スポーツ等の激しい運動を行う際に適用できる耳掛部材１１０，１１０’，１１０”として、例えば、図１６に示すような耳掛部材及び図１７に示すような耳掛部材にも容易に取り替えることができる。なお、図１６に示すテンプル２，２’，２”は、第１から第３実施形態のテンプル２，２’，２”において、耳掛部材１１０，１１０’，１１０”に耳当て部材２３を設けるように構成にした以外は第１から第３実施形態のテンプル２，２’，２”と同様のものであり、また、図１７（Ｂ）に示すテンプル２，２’，２”は、第１から第３実施形態のテンプル２，２’，２”において、耳掛部材１１０，１１０’，１１０”に眼鏡取り付け具３０を設けるように構成にした以外は第１から第３実施形態のテンプル２，２’，２”と同様のものである。
【００５９】
図１６に示すテンプル２，２’，２”は、耳の裏側に当接可能な耳当接部２３ａ及びテンプル本体の後部と該耳当接部２３ａとを揺動可能に取り付けるためのピン又はネジ等の軸部材７が取り付けられた揺動部２３ｂを有する耳当て部材２３と、テンプル本体の耳当て部材２３が取り付けられた部位２２ａより基端部側２ａにある所定部２２ｂと耳当接部２３ａの基端部側２ａ端部領域２３ｃとを連結する可撓性の絡み防止部材４とを具備している。なお、図示例では、耳当接部２３ａ、所定部２２ｂ及び絡み防止部材４は一体的に形成されている。
【００６０】
このテンプル２，２’，２”が取り付けられた眼鏡フレームでは、前枠１に取り付けられた鼻当て用のパッド６（図１参照）を鼻に掛けるとともに、湾曲した耳当て部材２３の耳当接部２３ａを耳の裏側（耳と頭との間）の湾曲部に掛けることによって着用される。
【００６１】
この眼鏡フレームにおいては、眼鏡を掛けた状態で、前枠１がずれ落ちようとすると、前枠１から延出されたテンプル，２’，２”２の後部はずれ上がろうとし、テンプル本体の後部に取り付けられた耳当て部材２３の耳当接部２３ａを上方へ移動させようとする。そして、耳当て部材２３の耳当接部２３ａが上方へ移動しようとすると、耳当て部材２３のテンプル本体に取り付けられる部位である揺動部２３ｂ（テンプル本体の耳当て部材２３が取り付けられる部位２２ａ）に挿通された軸部材７を中心として耳当接部２３ａは、図１６において左回りへ回転しようとする。このとき、耳当接部２３ａの基端部側２ａ端部領域２３ｃが耳の裏側を押圧する力が大きくなり、その結果、耳当接部２３ａと耳の裏側との相対的な移動が阻止され、テンプル２，２’，２”の後部のずれ上がりが阻止される。このようにして、眼鏡のずれ落ちを防止することができる。
【００６２】
また、耳当接部２３ａの長手方向の略中間部に揺動部２３ｂが設けられるように構成されており、耳当て部材２３のテンプル本体に取り付けられる部位である揺動部２３ｂ及びテンプル本体の耳当て部材２３が取り付けられる部位２２ａには、揺動部２３ｂの揺動範囲を規制する規制機構１８が設けられるように構成されるとともに、テンプル本体と耳当て部材２３の揺動部２３ｂとの取り付けには、ピン又はねじ等の軸部材７が用いられるように構成される。規制機構１８は、テンプル本体の耳当て部材が取り付けられる部位２２ａに設けられた当接面２８に耳当て部材２３の支持片３８が当接することにより揺動を規制する構成となっている。
【００６３】
このような規制機構１８を設けることにより、耳当て部材２３の揺動範囲が規制されるため、使用者が眼鏡を掛ける際に、耳の裏側の適所に耳当て部材２３の耳当接部２３ａを容易に当接させることができ、使用者の眼鏡の着用をより容易にすることができる。また、軸部材７を介して耳当て部材２３がテンプル本体の取り付け部位２２ａに取り付けられる構成であるため、力の損失が少なく、スムーズな揺動を容易かつ安価に達成することができる。また、軸部材７の軸回りに規制機構１８を設けることにより、規制機構１８を容易に構成することができる。なお、耳当て部材２３に取り付けられた揺動部２３ｂが軸部材７に揺動可能に取り付けられているが、耳当て部材２３自体（耳当接部２３ａ）に孔を開けて軸部材７を介して耳当て部材２３がテンプル本体に対して揺動可能に取り付けてもよい。また、テンプル本体の耳当て部材２３が取り付けられた部位２２ａは、テンプル２，２’，２”の先端部であるように構成される。この場合、眼鏡フレームのテンプル２，２’，２”と耳当て部材２３とが一体ではない構造を有しているにも関わらず、一般的な形状の眼鏡フレームを用いてきた使用者であっても違和感なく着用することができる。
【００６４】
また、図１６に示すように、可撓性の絡み防止部材４がテンプル本体の耳当て部材２３が取り付けられた部位２２ａより基端部側２ａにある所定部２２ｂと耳当て部材２３の耳当接部２３ａの基端部側２ａ端部領域２３ｃとを連結するように取り付けられている。こうすることで、眼鏡を外す際に、テンプル２，２’，２”を上方へ持ち上げた場合であっても、テンプル本体と耳当接部２３ａの基端部側２ａ端部領域２３ｃとの間が絡み防止部材４で塞がれているため、髪の毛がＱ方向からテンプル本体と耳当接部２３ａとの取り付け部分（揺動部２３ｂ）に入り込みにくく、これに絡まることが抑制される。また、絡み防止部材４は、可撓性を有しているため、眼鏡フレームのずれ落ち抑制の機能を阻害することもない。このように、可撓性の絡み防止部材４によってテンプル本体の耳当て部材２３が取り付けられた部位２２ａより基端部側２ａにある所定部２２ｂと耳当接部２３ａの基端部側２ａ端部領域２３ｃとを連結することにより、鼻に掛かる負担を大きくすることなく眼鏡のずれ落ちを防止できるとともに、眼鏡を外す際に髪の毛の眼鏡への絡みを抑制することができる。
【００６５】
図１７に示すテンプル２，２’，２”は、眼鏡取り付け具３０を具備しているものである。この眼鏡取り付け具３０は、眼鏡フレームに着脱可能な眼鏡取り付け具であって、図１に示すようなテンプル２，２’，２”の先端部側２ｂ所定部位２０ａに着脱可能なクリップ部３０ｄと、耳の裏側に当接可能な耳当接部３０ａと、クリップ部３０ｄと耳当接部３０ａとを揺動可能に取り付けるためのピン又はねじ等の軸部材７が取り付けられた揺動部３０ｂとを具備するものである。また、クリップ部３０ｄと耳当接部３０ａとは、揺動部３０ｂにより、ピン又はねじ等の軸部材７を用いて揺動可能に取り付けられる。これにより、テンプル２，２’，２”と眼鏡取り付け具３０の耳当接部３０ａとは、揺動可能に取り付けられる。また、テンプル２，２’，２”が先端部に向けて次第に分厚くなるような形状の場合は、クリップ部３０ｄの内径に所定の余裕を持たせてもクリップ部３０ｄがテンプル２，２’，２”の先端部側２ｂから抜け落ちることを防止することができる。
【００６６】
また、図１７に示すように、一端が耳当接部３０ａの基端部側２ａ端部３０ｃに連結され、他端がテンプル２，２’，２”のクリップ部３０ｄが取り付けられた部位２０ａより基端部側２ａにある所定部２０ｂに着脱可能な可撓性の絡み防止部材４をさらに具備するように構成されている。この可撓性の絡み防止部材４によってテンプル２，２’，２”のクリップ部３０ｄが取り付けられた部位２０ａより基端部側２ａにある所定部２０ｂと眼鏡取り付け具３０の耳当接部３０ａの基端部側２ａ端部３０ｃとを連結することにより、鼻に掛かる負担を大きくすることなく眼鏡のずれ落ちを防止できるとともに、眼鏡を外す際に髪の毛の眼鏡への絡みを抑制することができる。さらに、絡み防止部材４の他端をテンプル２，２’，２”に着脱可能に取り付けるための構成として、図１７（Ａ）に示すような、可撓性部材で形成されたクリップ部４ａを用いている。
【００６７】
なお、図１８に示すように、耳掛部材１１０ｚを第１実施形態の芯金部１２１に単に指し込むような形態も使用することが可能である。なお、図１８に示すテンプル２は、第１実施形態のテンプル２において、図１６に示す第２及び第３実施形態の耳掛部材１１０’、１１０”を先セル態様の耳掛部材１１０ｚとして用い、該先セル態様の耳掛部材１１０ｚを第１実施形態の芯金部１２１に単に指し込むような構成とした以外は第１実施形態のテンプル２と同様のものである。
【図面の簡単な説明】
【００６８】
【図１】図１は、本発明の実施形態に係る眼鏡フレーム用テンプルであって、図１（Ａ）は所謂プラスチックテンプルタイプの如く構成した第１実施形態に係るテンプルを備えた眼鏡フレームの概略構成を示す斜視図であり、図１（Ｂ）及び図１（Ｃ）はそれぞれ所謂メタルテンプルタイプの如く構成した第２及び第３実施形態に係るテンプルを備えた眼鏡フレームの概略構成を示す斜視図である。
【図２】図２は、図１（Ａ）に示す第１実施形態のテンプルにおいて芯金部材の一例から耳掛部材の一例を取り外した状態の該耳掛部材及び該芯金部材を示す概略構成図であり、図２（Ａ）に該耳掛部材及び該芯金部材の平面図を、図２（Ｂ）に該耳掛部材及び該芯金部材を外側から視た側面図を示す。
【図３】図３は、図２（Ａ）に示す芯金部材と耳掛部材との取り付け部分の一部断面を含む拡大図である。
【図４】図４は、第１実施形態のテンプルにおいて、耳掛部材が芯金部材に取り付けられた状態の拡大図である。
【図５】図５は、第１実施形態のテンプルにおいて、耳掛部材における挿通穴に他方の係合部を形成する他の例を説明するための一部断面を含む拡大平面図である。
【図６】図６は、第１実施形態のテンプルにおいて、凸状係合部及び凹状係合部からなる係合部が軸方向に沿って複数対並設されている一例を示す拡大図である。
【図７】図７は、図１（Ｂ）に示す第２実施形態のテンプルにおいて芯金部材の他の例から耳掛部材の他の例を取り外した状態の該耳掛部材及び該芯金部材を示す概略構成図であり、図７（Ａ）に該耳掛部材及び該芯金部材の取り付け部分の斜視図を、図７（Ｂ）に該耳掛部材及び該芯金部材の平面図を、図７（Ｃ）に該耳掛部材及び該芯金部材を外側から視た側面図を示す。
【図８】図８は、図７（Ｂ）に示す芯金部材と耳掛部材との取り付け部分の一部断面を含む拡大図である。
【図９】図９は、第２実施形態のテンプルにおいて、耳掛部材が芯金部材に取り付けられた状態の拡大図を示している。
【図１０】図１０は、図１（Ｃ）に示す第３実施形態のテンプルにおいて図１（Ｂ）に示す芯金部材から耳掛部材のさらに他の例を取り外した状態の該耳掛部材及び該芯金部材を示す概略構成図であり、図１０（Ａ）に該耳掛部材及び該芯金部材の取り付け部分の斜視図を、図１０（Ｂ）に該耳掛部材及び該芯金部材の平面図を、図１０（Ｃ）に該耳掛部材及び該芯金部材を外側から視た側面図を示す。
【図１１】図１１は、図１０（Ｂ）に示す芯金部材と耳掛部材との取り付け部分の一部断面を含む拡大図である。
【図１２】図１２は、第３実施形態のテンプルにおいて、耳掛部材が芯金部材に取り付けられた状態の拡大図である。
【図１３】図１３は、第１実施形態のテンプルにおいて、所謂メタルテンプルタイプの如く構成されていて、先セルを構成する耳掛部材と芯金部材とを備え、該先セルが該芯金部材に対して着脱可能となっている状態の該耳掛部材及び該芯金部材を示す概略構成図であり、図１３（Ａ）に該耳掛部材及び該芯金部材の平面図を、図１３（Ｂ）に該耳掛部材及び該芯金部材を外側から視た側面図を示す。
【図１４】図１４は、第１実施形態のテンプルに適用できる耳掛部材の例を示す概略側面図であり、図１４（Ａ）は耳掛部材の厚みを大きくしてユーザの開閉動作等による外力に対して耐久性を向上させたものを、図１４（Ｂ）は予め用意された各種の装飾された耳掛部材の中からＴＰＯに併せて選択されたものを示している。
【図１５】図１５は、第１から第３実施形態のテンプルにおける耳掛部材の先端部側部分に耳当て部材を設けるように構成した一例の該先端部側部分を拡大した概略側面図である。
【図１６】図１６は、第１から第３実施形態のテンプルのさらに他の例を示す図であって、該テンプルにおける耳掛部材の先端部側部分を拡大した概略側面図である。
【図１７】図１７は、図１６に示すテンプルの変形例を示す概略側面図であり、図１７（Ａ）に眼鏡取り付け具を、図１７（Ｂ）にそれを装着したテンプルを示す。
【図１８】図１８は、第１実施形態のテンプルにおいて、耳掛部材を芯金部に単に指し込むような形態を示す概略側面図である。
【符号の説明】
【００６９】
２，２’，２”…眼鏡フレーム用テンプル  ２ｂ…先端部側  
１０，１０’，１０”…眼鏡フレーム  １１０…耳掛部材  
１１０’，１１０”…先セルを構成する耳掛部材  １１０ａ…耳掛部材の基端部  
１１１…挿通穴  １１１’…第１芯金部  １１１ａ…挿通穴の開口  
１１１ｂ…スリット状の開口  １１２…他方の凹状係合部  １１２’…第２芯金部  
１１３’…芯金延長部材  １２０，１２０’…芯金部材  １２１，１２１’…芯金部  
１２２…一方の凸状係合部  １３０…一対の凹凸係合部  Ｐ１…挿通穴の内側の側面  
Ｐ２…芯金部の内側の側面
【図１】
2006317473.tif 000003
【図２】
2006317473.tif 000004
【図３】
2006317473.tif 000005
【図４】
2006317473.tif 000006
【図５】
2006317473.tif 000007
【図６】
2006317473.tif 000008
【図７】
2006317473.tif 000009
【図８】
2006317473.tif 000010
【図９】
2006317473.tif 000011
【図１０】
2006317473.tif 000012
【図１１】
2006317473.tif 000013
【図１２】
2006317473.tif 000014
【図１３】
2006317473.tif 000015
【図１４】
2006317473.tif 000016
【図１５】
2006317473.tif 000017
【図１６】
2006317473.tif 000018
【図１７】
2006317473.tif 000019
【図１８】
2006317473.tif 000020
【手続補正書】
【提出日】平成17年6月29日(2005.6.29)
【手続補正１】
【補正対象書類名】特許請求の範囲
【補正対象項目名】全文
【補正方法】変更
【補正の内容】
【特許請求の範囲】
【請求項１】
芯金部を有する芯金部材と、前記芯金部を挿通する挿通穴であって、基端部に設けられた開口から先端部側に向けて軸方向に沿って延びる挿通穴を有する耳掛部材とを備えた眼鏡フレーム用テンプルにおいて、
凸状係合部及び凹状係合部からなり、前記凸状係合部及び前記凹状係合部のうち一方の係合部が前記芯金部材における前記芯金部に設けられ、他方の係合部が、前記芯金部に設けられた一方の係合部に係合するように前記耳掛部材における前記挿通穴に設けられた凹凸係合部を少なくとも一対備え、
前記耳掛部材の基端部は、前記他方の係合部が設けられる前記挿通穴の係合部形成面が露出するように斜めにカットされていることを特徴とする眼鏡フレーム用テンプル。
【請求項２】
芯金部を有する芯金部材と、前記芯金部を挿通する挿通穴であって、基端部に設けられた開口から先端部側に向けて軸方向に沿って延びる挿通穴を有する耳掛部材とを備えた眼鏡フレーム用テンプルにおいて、
凸状係合部及び凹状係合部からなり、前記凸状係合部及び前記凹状係合部のうち一方の係合部が前記芯金部材における前記芯金部に設けられ、他方の係合部が、前記芯金部に設けられた一方の係合部に係合するように前記耳掛部材における前記挿通穴に設けられた凹凸係合部を少なくとも一対備え、
前記耳掛部材には、前記挿通穴を構成し、前記芯金部材における前記芯金部を挿通する筒状の第１芯金部と、該第１芯金部の先端部に配設され、先端部側に向けて軸方向に沿って延びる第２芯金部とからなる芯金延長部材が設けられていることを特徴とする眼鏡フレーム用テンプル。
【請求項３】
芯金部を有する芯金部材と、前記芯金部を挿通する挿通穴であって、基端部に設けられた開口から先端部側に向けて軸方向に沿って延びる挿通穴を有する耳掛部材とを備えた眼鏡フレーム用テンプルにおいて、
凸状係合部及び凹状係合部からなり、前記凸状係合部及び前記凹状係合部のうち一方の係合部が前記芯金部材における前記芯金部に設けられ、他方の係合部が、前記芯金部に設けられた一方の係合部に係合するように前記耳掛部材における前記挿通穴に設けられた凹凸係合部を少なくとも一対備え、
前記耳掛部材には、基端部における前記開口から軸方向に沿って延びるように開放されたスリット状の開口が設けられていることを特徴とする眼鏡フレーム用テンプル。
【手続補正２】
【補正対象書類名】明細書
【補正対象項目名】０００７
【補正方法】変更
【補正の内容】
【０００７】
前記課題を解決するべく、本発明は、芯金部を有する芯金部材と、前記芯金部を挿通する挿通穴であって、基端部に設けられた開口から先端部側に向けて軸方向に沿って延びる挿通穴を有する耳掛部材とを備えた眼鏡フレーム用テンプルにおいて、凸状係合部及び凹状係合部からなり、前記凸状係合部及び前記凹状係合部のうち一方の係合部が前記芯金部材における前記芯金部に設けられ、他方の係合部が、前記芯金部に設けられた一方の係合部に係合するように前記耳掛部材における前記挿通穴に設けられた凹凸係合部を少なくとも一対備え、前記耳掛部材の基端部は、前記他方の係合部が設けられる前記挿通穴の係合部形成面が露出するように斜めにカットされていることを特徴とする眼鏡フレーム用テンプルを提供するものである。
【手続補正３】
【補正対象書類名】明細書
【補正対象項目名】００１１
【補正方法】変更
【補正の内容】
【００１１】
ここで、前記芯金部に設けられた一方の係合部に係合するように前記耳掛部材における前記挿通穴に設けられる他方の係合部は、該耳掛部材の基端部における開口近傍に設けられることが好ましい。こうすることで、前記耳掛部材における前記挿通穴に前記他方の係合部を比較的簡単、容易に形成することができる。本発明においては、前記耳掛部材の基端部が、前記他方の係合部が設けられる前記挿通穴の係合部形成面が露出するように斜めにカットされているため、該露出した係合部形成露出面に前記他方の係合部を比較的簡単、容易に形成することができる。
【手続補正４】
【補正対象書類名】明細書
【補正対象項目名】００１２
【補正方法】変更
【補正の内容】
【００１２】
なお、本発明のように前記係合部形成露出面に他方の係合部を形成してもよいが、例えば、前記係合部形成面において径方向に沿って貫通する貫通孔を設け、該貫通孔を塞ぐ閉塞部材を、該他方の係合部が凹状係合部である場合には該係合部形成面に対してくぼむように、また凸状係合部である場合には該係合部形成面に対して突出するように設けることで、該他方の係合部を形成してもよい。こうすることで、前記耳掛部材における前記挿通穴の任意の位置に前記他方の係合部を形成することができる。
【手続補正５】
【補正対象書類名】明細書
【補正対象項目名】００１３
【補正方法】変更
【補正の内容】
【００１３】
本発明に係る眼鏡フレーム用テンプルにおいて、前記凹凸係合部は、軸方向に沿って複数対並設されていることが好ましい。斯かる構成によれば、前記芯金部材における前記芯金部が前記耳掛部材における前記挿通穴に挿入される際にユーザの鼻部と耳部との間の距離に合う位置に前記芯金部における一方の係止部を前記耳掛部材における他方の係合部に係止することができ、これにより、ユーザの鼻部と耳部との間の距離に合わせて良好に調整することができる。
【手続補正６】
【補正対象書類名】明細書
【補正対象項目名】００１４
【補正方法】変更
【補正の内容】
【００１４】
本発明に係る眼鏡フレーム用テンプルにおいて、前記凹凸係合部を構成する前記凸状係合部及び前記凹状係合部のうち一方の係合部が前記芯金部材における前記芯金部に、他方の係合部が前記耳掛部材における前記挿通穴に設けられる具体的態様としては、該眼鏡フレーム用テンプルが眼鏡フレームを構成した場合の該眼鏡フレームの使用姿勢において、前記一方の係合部は前記芯金部の外側、内側、上側及び下側のうち少なくとも一つの側面に設けられ、前記他方の係合部は、前記芯金部に設けられた一方の係合部に係合するように前記耳掛部材における前記挿通穴の外側、内側、上側及び下側のうち少なくとも一つの側面に設けられる場合を例示できる。
【手続補正７】
【補正対象書類名】明細書
【補正対象項目名】００１６
【補正方法】変更
【補正の内容】
【００１６】
ところで、前記耳掛部材が、例えば、樹脂のような材料で構成されている場合には、該耳掛部材の他方の係合部が、前記芯金部材の一方の係合部との係合によって磨耗し易い。また、前記耳掛部材を補強するという観点、或いはユーザの耳部や頭部に違和感なくフィットさせ得るように前記耳掛部材を曲げ調整し易くするという観点からは、前記芯金部が前記耳掛部材の先端部近傍にまで延びていることが望ましいが、例えば、前記耳掛部材が、先端部側でユーザーの耳部や頭部の形状に沿うように湾曲した湾曲部を有しているような場合には、この湾曲部の湾曲度合いによっては、前記芯金部材における前記芯金部が該湾曲部によって前記耳掛部材の先端部近傍まで挿入され難いことがあり、従って、該芯金部が前記耳掛部材の先端部近傍まで延びていないことがある。そこで、本発明は、芯金部を有する芯金部材と、前記芯金部を挿通する挿通穴であって、基端部に設けられた開口から先端部側に向けて軸方向に沿って延びる挿通穴を有する耳掛部材とを備えた眼鏡フレーム用テンプルにおいて、凸状係合部及び凹状係合部からなり、前記凸状係合部及び前記凹状係合部のうち一方の係合部が前記芯金部材における前記芯金部に設けられ、他方の係合部が、前記芯金部に設けられた一方の係合部に係合するように前記耳掛部材における前記挿通穴に設けられた凹凸係合部を少なくとも一対備え、前記耳掛部材には、前記挿通穴を構成し、前記芯金部材における前記芯金部を挿通する筒状の第１芯金部と、該第１芯金部の先端部に配設され、先端部側に向けて軸方向に沿って延びる第２芯金部とからなる芯金延長部材が設けられていることを特徴とする眼鏡フレーム用テンプルとしても提供される。斯かる発明によれば、前記耳掛部材に設けられる前記第１芯金部は、基本的に金属材料で構成されるので、他方の係合部において、前記芯金部材における前記芯金部の一方の係合部との係合による耐磨耗性を向上させることができる上、例えば、前記耳掛部材において、前記芯金部材における前記芯金部を挿通する前記第１芯金部の先端部に配設された前記第２芯金部を該耳掛部材の先端部近傍にまで延びるように構成することにより、前記芯金部材における前記芯金部が前記耳掛部材の先端部近傍まで延びていなくても、該耳掛部材に設けられた前記第２芯金部によって、該耳掛部材を補強することができ且つユーザの耳部や頭部に違和感なくフィットさせ得るように該耳掛部材を曲げ調整し易くすることができる。
【手続補正８】
【補正対象書類名】明細書
【補正対象項目名】００１７
【補正方法】変更
【補正の内容】
【００１７】
また、本発明は、芯金部を有する芯金部材と、前記芯金部を挿通する挿通穴であって、基端部に設けられた開口から先端部側に向けて軸方向に沿って延びる挿通穴を有する耳掛部材とを備えた眼鏡フレーム用テンプルにおいて、凸状係合部及び凹状係合部からなり、前記凸状係合部及び前記凹状係合部のうち一方の係合部が前記芯金部材における前記芯金部に設けられ、他方の係合部が、前記芯金部に設けられた一方の係合部に係合するように前記耳掛部材における前記挿通穴に設けられた凹凸係合部を少なくとも一対備え、前記耳掛部材には、基端部における前記開口から軸方向に沿って延びるように開放されたスリット状の開口が設けられていることを特徴とする眼鏡フレーム用テンプルとしても提供される。斯かる発明によれば、前記芯金部材における前記芯金部が前記耳掛部材における前記挿通穴に挿入される際に該挿通穴を前記スリット状開口において径方向外方に拡開するように撓ませ易くすることができ、これにより前記芯金部を前記挿通穴に挿入し易くすることができる。ところで、前記芯金部材における前記芯金部が前記耳掛部材における前記挿通穴に挿入される際に、該挿通穴に対する該芯金部の周方向の挿入位置が不明確である場合、或いは該周方向の挿入位置が明確であっても、特に、該挿通穴の形状が軸方向視（軸方向から視て）円形状の場合であって、該挿通穴が比較的深く且つ該挿通穴における他方の係合部が該耳掛部材の基端部における前記開口から比較的遠い位置にある場合には、該芯金部における一方の係合部が該挿通穴における他方の係合部に向けて誘導されないことで、該一方の係合部が該他方の係合部にスムーズに係合され難い。そこで、前記芯金部には、該芯金部における一方の係合部を前記耳掛部材における他方の係合部に向けて案内可能に、前記スリット状開口に摺動自在に（例えば、前記芯金部における一方の係合部と前記耳掛部材における他方の係合部とが係合する係合位置に対応する位置を含む軌道上で摺動自在に）係入される凹凸係合部案内用凸状係合部が設けられている場合を例示できる。こうすることで、前記芯金部における一方の係合部を前記挿通穴における他方の係合部に向けてうまく誘導することができ、これにより該一方の係合部を該他方の係合部にスムーズに係合させることができる。なお、前記芯金部における一方の係合部が凸状係合部であり、前記挿通穴における他方の係合部が凹状係合部である場合であって、該挿通穴における他方の凹状係合部が、前記スリット状開口の幅方向中央部を通り、該スリット状開口から軸方向に沿って先端部側に向かう延長線上に位置している場合には、該芯金部における一方の凸状係合部が前記凹凸係合部案内用凸状係合部を兼ねることができる。この場合、前記凹凸係合部案内用凸状係合部を兼ねる一方の凸状係合部は、特に、前記挿通穴の形状が軸方向視円形状である場合には、前記スリット状開口に対してできるだけ近い位置に設けることが好ましい。また、前記スリット状開口は、前記凹凸係合部案内用凸状係合部を導入し易くするという観点から、基端部側端部で広く且つ先端部側に向けて次第に狭くなるように形成された導入部を有していることが好ましい。